【手続補正書】
【提出日】平成18年7月12日(2006.7.12)
【手続補正１】
【補正対象書類名】明細書
【補正対象項目名】請求項１
【補正方法】変更
【補正の内容】
【請求項１】  地図データを使って、ユーザを目的地まで誘導するナビゲーション装置であって、
前記地図データを格納する記憶部と、
前記記憶部内の地図データを使って、探索開始点から、１つ以上の目的地へと至る複数の経路を探索して、探索した各経路を表す経路データを作成する経路探索部と、
前記経路探索部により作成された複数の経路データに基づいて、複数の経路をユーザに告知する告知データ作成部と、
ユーザの移動に関連する移動情報を作成する移動情報作成部と、
前記移動情報に基づいて、前記告知データ作成部によりユーザに対して告知される複数の経路データの中から、１つの経路データを選択する選択部と、
前記選択部により選択された経路データ、および前記記憶部内の地図データに基づいて、ユーザを目的地まで誘導するための誘導データを作成する誘導データ作成部と、
前記誘導情報作成部により作成された誘導データに従って、ユーザを目的地まで誘導するための画像または音声を出力する出力部とを備え、
前記出力部はさらに、前記告知データ作成部により作成された経路データに従って、複数の経路を特定する画像または音声を出力するナビゲーション装置。
【手続補正２】
【補正対象書類名】明細書
【補正対象項目名】請求項４
【補正方法】変更
【補正の内容】
【請求項４】  前記告知データ作成部は前記経路探索部が経路の探索を行った直後に、複数の経路をユーザに告知するデータを作成する、請求項１に記載のナビゲーション装置。
【手続補正３】
【補正対象書類名】明細書
【補正対象項目名】請求項１１
【補正方法】変更
【補正の内容】
【請求項１１】  地図データを使って、ユーザを目的地まで誘導するナビゲーション方法であって、
前記地図データを使って、探索開始点から、１つ以上の目的地へと至る複数の経路を探索して、探索した各経路を表す経路データを作成する経路探索ステップと、
前記経路探索ステップにより作成された複数の経路データに基づいて、複数の経路をユーザに告知する告知データ作成ステップと、
ユーザの移動に関連する移動情報を作成する移動情報作成ステップと、
前記移動情報に基づいて、前記告知データ作成ステップによりユーザに対して告知される複数の経路データの中から、１つの経路データを選択する選択ステップと、
前記選択ステップにより選択された経路データ、および前記地図データに基づいて、ユーザを目的地まで誘導するための誘導データを作成する誘導データ作成ステップと、
前記誘導情報作成ステップにより作成された誘導データに従って、ユーザを目的地まで誘導するための画像または音声を出力する出力ステップとを備え、
前記出力ステップはさらに、前記告知データ作成ステップにより作成された経路データに従って、複数の経路を特定する画像または音声を出力する、ナビゲーション方法。
【手続補正４】
【補正対象書類名】明細書
【補正対象項目名】請求項１４
【補正方法】変更
【補正の内容】
【請求項１４】  地図データを使って、ユーザを目的地まで誘導するナビゲーションをコンピュータ装置上で実現するためのプログラムを記録した記録媒体であって、
前記地図データを使って、探索開始点から、１つ以上の目的地へと至る複数の経路を探索して、探索した各経路を表す経路データを作成する経路探索ステップと、
前記経路探索ステップにより作成された複数の経路データに基づいて、複数の経路をユーザに告知する告知データ作成ステップと、
ユーザの移動に関連する移動情報を作成する移動情報作成ステップと、
前記移動情報に基づいて、前記告知データ作成ステップによりユーザに対して告知される複数の経路データの中から、１つの経路データを選択する選択ステップと、
前記選択ステップにより選択された経路データ、および前記地図データに基づいて、ユーザを目的地まで誘導するための誘導データを作成する誘導データ作成ステップと、
前記誘導情報作成ステップにより作成された誘導データに従って、ユーザを目的地まで誘導するための画像または音声を出力する出力ステップとを備え、
前記出力ステップはさらに、前記告知データ作成ステップにより作成された経路データに従って、複数の経路を特定する画像または音声を出力する、プログラムを記録した記録媒体。
【手続補正５】
【補正対象書類名】明細書
【補正対象項目名】０００７
【補正方法】変更
【補正の内容】
【０００７】
【課題を解決するための手段および発明の効果】
第１の発明は、地図データを使って、ユーザを目的地まで誘導するナビゲーション装置であって、地図データを格納する記憶部と、記憶部内の地図データを使って、探索開始点から、１つ以上の目的地へと至る複数の経路を探索して、探索した各経路を表す経路データを作成する経路探索部と、経路探索部により作成された複数の経路データに基づいて、複数の経路をユーザに告知する告知データ作成部と、ユーザの移動に関連する移動情報を作成する移動情報作成部と、移動情報に基づいて、告知データ作成部によりユーザに対して告知される複数の経路データの中から、１つの経路データを選択する選択部と、選択部により選択された経路データ、および記憶部内の地図データに基づいて、ユーザを目的地まで誘導するための誘導データを作成する誘導データ作成部と、誘導情報作成部により作成された誘導データに従って、ユーザの目的地まで誘導するための画像または音声を出力する出力部とを備え、出力部はさらに、告知データ作成部により作成された経路データに従って、複数の経路を特定する画像または音声を出力する。
【手続補正６】
【補正対象書類名】明細書
【補正対象項目名】００１２
【補正方法】変更
【補正の内容】
【００１２】
第４の発明は第１の発明に従属しており、告知データ作成部は経路探索部が経路の探索を行った直後に、複数の経路をユーザに告知するデータを作成する。
【手続補正７】
【補正対象書類名】明細書
【補正対象項目名】００１８
【補正方法】変更
【補正の内容】
【００１８】
第１１の発明は、地図データを使って、ユーザを目的地まで誘導するナビゲーション方法であって、地図データを使って、探索開始点から、１つ以上の目的地へと至る複数の経路を探索して、探索した各経路を表す経路データを作成する経路探索ステップと、経路探索ステップにより作成された複数の経路データに基づいて、複数の経路をユーザに告知する告知データ作成ステップと、ユーザの移動に関連する移動情報を作成する移動情報作成ステップと、移動情報に基づいて、告知データ作成ステップによりユーザに対して告知される複数の経路データの中から、１つの経路データを選択する選択ステップと、選択ステップにより選択された経路データ、および地図データに基づいて、ユーザを目的地まで誘導するための誘導データを作成する誘導データ作成ステップと、誘導情報作成ステップにより作成された誘導データを出力する出力ステップとを備え、出力ステップはさらに、告知データ作成ステップにより作成された経路データに従って、複数の経路を特定する画像または音声を出力する。
【手続補正８】
【補正対象書類名】明細書
【補正対象項目名】００２１
【補正方法】変更
【補正の内容】
【００２１】
第１４の発明は、地図データを使って、ユーザを目的地まで誘導するナビゲーションをコンピュータ装置上で実現するためのプログラムを記録した記録媒体であって、地図データを使って、探索開始点から、１つ以上の目的地へと至る複数の経路を探索して、探索した各経路を表す経路データを作成する経路探索ステップと、経路探索ステップにより作成された複数の経路データに基づいて、複数の経路をユーザに告知する告知データ作成ステップと、ユーザの移動に関連する移動情報を作成する移動情報作成ステップと、移動情報に基づいて、告知データ作成ステップによりユーザに対して告知される複数の経路データの中から、１つの経路データを選択する選択ステップと、選択ステップにより選択された経路データ、および地図データに基づいて、ユーザを目的地まで誘導するための誘導データを作成する誘導データ作成ステップと、誘導情報作成ステップにより作成された誘導データを出力する出力ステップとを備え、出力ステップはさらに、告知データ作成ステップにより作成された経路データに従って、複数の経路を特定する画像または音声を出力する。